(57)【要約】【課題】  入力物体があることを各々の送信電極または受信電極から等距離でオン・オフ判定できる静電容量結合方式スイッチ用電極構造。【解決手段】  送信電極及び前記受信電極は、それぞれが、前記入力物体が前記絶縁体に近接したときに覆う領域の大きさに対して十分に小さい幅を持つ要素によって構成される枝分かれ形状及び／もしくは格子形状を、前記送信電極の前記要素と前記受信電極の前記要素とが互いに少なくとも２つ以上の近接点を配置したものであり、前記送信電極もしくは前記受信電極のいずれか一方を構成する要素のうち、電極の外周を構成する要素が、他方の電極の外周を構成する要素によって略取り囲まれている静電容量結合方式スイッチ用電極構造。【選択図】  図１
2017161248.tif 000002
【特許請求の範囲】
【請求項１】
少なくとも１つの送信電極と、少なくとも１つの受信電極と、片面に前記送信電極と前記受信電極とを互いに離間させて配置した略面状の絶縁体とからなり、前記送信電極に交流電圧を印加し、該交流電圧を前記受信電極で受信し、前記絶縁体の前記送信電極と前記受信電極を配置した面と反対側の面に対して、入力物体が前記送信電極と前記受信電極の双方を覆うように近接した場合に、前記送信電極と前記受信電極と前記絶縁体とで構成される回路に前記入力物体が加わることによって前記電極間に流れる交流電流の大きさが変化し、この交流電流の大きさ変化によって前記入力物体の近接を検出する静電容量結合方式スイッチであって、前記送信電極及び前記受信電極は、それぞれが、前記入力物体が前記絶縁体に近接したときに覆う領域の大きさに対して十分に小さい幅を持つ要素によって構成される枝分かれ形状及び／もしくは格子形状を、前記送信電極の前記要素と前記受信電極の前記要素とが互いに少なくとも２つ以上の近接点を配置したものであり、前記送信電極もしくは前記受信電極のいずれか一方を構成する要素のうち、電極の外周を構成する要素が、他方の電極の外周を構成する要素によって略取り囲まれていることを特徴とする静電容量結合方式スイッチ用電極構造。
【請求項２】
前記送信電極もしくは前記受信電極のいずれか一方のうち、電極の外周を構成する要素が、他方の電極の外周を構成する要素によって略取り囲まれている方の電極側の回路に、電流検出抵抗を設け測定することを特徴とする請求項１に記載の静電容量結合方式スイッチ用電極構造。
【請求項３】
送信電極と受信電極の間隔と、入力物体の近接を検出する間隔を同じとしたことを特徴とする請求項１、或いは、請求項２に記載の静電容量結合方式スイッチ用電極構造。
【発明の詳細な説明】
【技術分野】
【０００１】
本発明は、入力方式に静電容量結合方式を利用した入力装置の電極構造に関するものである。
【背景技術】
【０００２】
近年、静電容量結合方式を利用した入力装置は、最低１つの送信電極と１つの受信電極から構成され、図４の５７および５８のように２つの電極５２・５３間に発生する容量結合による電界に図５のように入力物体６１である導体（指や入力ペン等）が接近することで電極６２・６３間の電界の一部が導体である入力物体６１に移行し更に空気中に放電されたり人体やグランドに流れることで吸収され受信電極への電界が減少することや、送信電極と入力物体６１との間の電界が増加することを利用して検出している。
電界は、片方の電極である送信電極にサイン信号またはパルス信号の電位を印加して、他方の電極である受信電極で電界を受信することで電界を維持し、流れる電荷量を受信電極側で計測し続けることで電荷量の変化から入力物体の接近と離反を検出しスイッチのオン・オフを判定する。
【０００３】
また、図４の電極構造では送信電極側での測定は周辺への漏れ電界や周辺からの電界の干渉により安定した測定が困難なため受信電極側での測定が主流である。
【０００４】
各々の電極は２つ以上の円形または四角形から構成され１つのスイッチは３〜５ｍｍ程度の外形である。１つのスイッチで１０ｍｍを超える外形のものは、スイッチの入力範囲の限定が困難になる。また、近傍に複数のスイッチがある場合も入力範囲の限定が困難である。この問題を解決するためにスイッチ一つ一つの電極面積を小さくし送信電極と受信電極の間隔を狭くし、各々のスイッチ間隔を広くする方法が取られている。
【０００５】
特許文献１では、近傍にある複数のタッチスイッチ電極が干渉する可能性と、電極に近接して指等が置かれた場合に電界が遮断されることが述べられている。また、特許文献１図１ではスイッチ電極の長さｓと間隔ｄは、指の大きさ等から５ｍｍ以上が望ましいと述べられている。また、特許文献１の図３では送信電極と受信電極の間および周辺で電界が発生し、指が電極間の左隅にある場合と指が中央にある場合と右隅にある場合とで遮断される電界の差が少ないことを示している。さらに、特許文献１の図５では複数の電界が干渉し、入力範囲が重複することが書かれている。
送信電極と受信電極の二つの電極間の静電容量の変化を検出しようとする場合に、電界の広がりの多様性や複数の電極間の電界の干渉等により安定した検出範囲を得るのが困難であった。上記特許文献１では、回路技術により対策が取られているが電極構造による入力範囲の不要な広がりに対しては対処が困難である。
【先行技術文献】
【特許文献】
【０００６】
【特許文献１】特開２０１４−２５８１１
【発明の概要】
【発明が解決しようとする課題】
【０００７】
図４に並列平板型の電極構造図を示す。図５に入力物体６１と並列平板型電極５７の断面図５８を示す。入力物体６１がない場合にこの電極構造６５に電位を加えると図９の並列平板型の入力物体なしの電気力線１６１が示すように送信電極１６２から受信電極１６３へと広い広がりを持った電気力線１６１が描かれる。こで描かれている電気力線図は、シミュレーションで描かれている。この空間は誘電率が同一でシミュレーションされる。実際の空間は、空気中は誘電率が１で、パネル１６４はガラスで誘電率４〜１０である。また、アクリルなら誘電率が３〜５である。違いは、パネルと電極部分までで電気力線の本数が多くなり、空気中の電気力線の本数が減少し入力物体が空気中からパネルに接触すると入力物体に吸収される電気力線の本数が大きく増加するが、傾向は同じである。電極間の電気力線１６１が縦方向にも横方向にも大きく広がり、特に送信電極１６２からの電気力線の広がりが大きくなる。
【０００８】
並列平板型の中心に入力物体１７５がありの電気力線１７１のシミュレーション結果を図１０に示す。図１０に示すように送信電極１７２と受信電極１７３の間の上部電気力線の多くが入力物体１７５に遮断される。そのため送信電極１７２と入力物体１７５の間は多くの電気力線で結ばれる。さらに全体のキャパシタンス容量はシミュレーションでは３．５倍に増加する。受信電極１７３側の電気力線は大幅に減少し図６入力装置構成図でしめした受信電流実効値１０８は大幅に減少し、入力物体がパネル上にあると判定しスイッチはオンになる。
【０００９】
また、図１１に示す並列平板型の右端に入力物体ありの電気力線図でもシミュレーションの結果が示すように送信電極１８２と受信電極１８３の間の上部電気力線の多くが遮断される。そのうえ送信電極１８２と入力物体１８５の間は多くの電気力線で結ばれる。さらに全体のキャパシタンス容量はシミュレーションでは１．７倍に増加する。受信電極側１８２の電気力線はかなり減少し図６の入力装置構成図でしめした受信電流実効値１０８は減少するが入力物体１８５がパネル１８４上にないと判定しスイッチはオフとなる。
【００１０】
また、図１２に示す並列平板型の左端に入力物体１９５ありの電気力線図ではシミュレーションの結果が示すように送信電極１９２と受信電極１９３の間の上部電気力線の多くが遮断される。そのうえ送信電極１９２と入力物体１９５の間は多くの電気力線で結ばれる。さらに全体のキャパシタンス容量はシミュレーションでは２．４倍に増加する。受信電極１９３側の電気力線はかなり減少し図６入力装置構成図でしめした受信電流実効値１０８は減少するが、入力物体がパネル上にないと判定するのは困難でスイッチはオンと判定する。
【００１１】
図１１と図１２では各々の電極からの入力物体の距離は同一ではあるがスイッチのオン・オフ判定は一致しないことになる。
また、送信電極側の送信電流実効値１０６は周辺にある他のスイッチ用電極に電界を供給したり周辺にあるいろいろな物体に電界を供給してしまうため基準が決め難く、図４の並列平板型の電極構造ではスイッチのオン・オフ判定に送信電流実効値１０６は実際には使用できない。
【課題を解決するための手段】
【００１２】
本発明は、少なくとも１つの送信電極と、少なくとも１つの受信電極と、片面に前記送信電極と前記受信電極とを互いに離間させて配置した略面状の絶縁体とからなり、前記送信電極に交流電圧を印加し、該交流電圧を前記受信電極で受信し、前記絶縁体の前記送信電極と前記受信電極を配置した面と反対側の面に対して、入力物体が前記送信電極と前記受信電極の双方を覆うように近接した場合に、前記送信電極と前記受信電極と前記絶縁体とで構成される回路に前記入力物体が加わることによって前記電極間に流れる交流電流の大きさが変化し、この交流電流の大きさ変化によって前記入力物体の近接を検出する静電容量結合方式スイッチであって、前記送信電極及び前記受信電極は、それぞれが、前記入力物体が前記絶縁体に近接したときに覆う領域の大きさに対して十分に小さい幅を持つ要素によって構成される枝分かれ形状及び／もしくは格子形状を、前記送信電極の前記要素と前記受信電極の前記要素とが互いに少なくとも２つ以上の近接点を配置したものであり、前記送信電極もしくは前記受信電極のいずれか一方を構成する要素のうち、電極の外周を構成する要素が、他方の電極の外周を構成する要素によって略取り囲まれていることを特徴とする静電容量結合方式スイッチ用電極構造を第一の要旨とし、前記送信電極もしくは前記受信電極のいずれか一方のうち、電極の外周を構成する要素が、他方の電極の外周を構成する要素によって略取り囲まれている方の電極側の回路に、電流検出抵抗を設け測定することを特徴とする、請求項１に記載の静電容量結合方式スイッチ用電極構造を第二の要旨とし、送信電極と受信電極の間隔と、入力物体の近接を検出する間隔を同じとしたことを特徴とする請求項１、或いは、請求項２に記載の静電容量結合方式スイッチ用電極構造を第三の要旨とするものである。
【発明の効果】
【００１３】
本発明では、一つのスイッチを構成する送信電極および受信電極の表面積を小さくその間隔を狭くすることで、スイッチのオンになる範囲を狭くすることと高さ方向の入力範囲を低くすることでスイッチのオンになる範囲の限定ができ、同時に複数の送信電極と複数の受信電極の電界が入力物体で遮断されることで明確なスイッチのオン・オフの判定ができる。
【００１４】
また、測定する内側の電流検出抵抗を設けている電極構造を他方の電極構造によって取り囲むことで、他のスイッチとの干渉および外部からの影響を減らすことができる。また、電極と指等の入力物体の間にあるパネルの厚さを送信電極と受信電極の間隔と１対１にすることでより効果的である。
【図面の簡単な説明】
【００１５】
【図１】櫛型の電極構造図
【図２】円型の電極構造図
【図３】入力物体とパネルと櫛型と円型電極の断面図
【図４】並列平板型の電極構造図
【図５】入力物体と平行平板型電極の断面図
【図６】入力装置構成図
【図７】受信電極側でのオン・オフ判定図
【図８】送信電極側でのオン・オフ判定図
【図９】並列平板型の入力物体なしの電気力線図
【図１０】並列平板型の中心に入力物体ありの電気力線図
【図１１】並列平板型の右端に入力物体ありの電気力線図
【図１２】並列平板型の左端に入力物体ありの電気力線図
【図１３】櫛型と円型の入力物体なしの最外周が送信電極の電気力線図
【図１４】櫛型と円型の中心に入力物体ありの最外周が送信電極の電気力線図
【図１５】櫛型と円型の右端に入力物体ありの最外周が送信電極の電気力線図
【図１６】櫛型と円型の左端に入力物体ありの最外周が送信電極の電気力線図
【図１７】櫛型と円型の入力物体なしの最外周が受信電極の電気力線図
【図１８】櫛型と円型の中心に入力物体ありの最外周が受信電極の電気力線図
【図１９】櫛型と円型の右端に入力物体ありの最外周が受信電極の電気力線図
【図２０】櫛型と円型の左端に入力物体ありの最外周が受信電極の電気力線図
【発明を実施するための形態】
【００１６】
図６に入力装置構成図を示す。図６は、送信電極７７にｓｉｎ信号を印加し対応する受信電極７９で受信し各々の電極に流れる電流変化を測定することで静電容量結合方式スイッチのオン・オフを判定する装置である。
発振器７１により作られた周波数から同期のとれたｓｉｎ波形７２とｃｏｓ波形７３を作る。ｓｉｎ信号を十分にｓｉｎ波形増幅回路７４で増幅し送信側の出力側電流・電圧変換回路７６のＲｏｕｔ７５を通過して電流ｉ２を流し送信電極７７に印加する。送信電極７７とＲｏｕｔ７５の間に、受信電極７９とＲｉｎ８２の間に、アナログスイッチ等を設け複数の送信電極・受信電極を接続して多数のスイッチを接続することも可能である。対応する受信電極７９との間には電極間の電界７８が発生しＲｉｎ８２を通過して電流ｉ１を流しグランドへと流れる。送信側・受信側の電流電圧変換回路により対応した電圧に変換される。
【００１７】
前記ｓｉｎ信号の一つは、ｓｉｎ・出力信号掛算回路９０とｓｉｎ・入力信号掛算回路９２に接続される。また、ｃｏｓ信号はもう一方のｃｏｓ・出力信号掛算回路９１とｃｏｓ・入力信号掛算回路９３に接続される。各電流電圧変換回路の出力は、増幅回路とフィルタ回路を介して、それぞれ２つの掛算回路に接続し、それぞれｓｉｎ信号およびｃｏｓ信号と掛けられる。真の電流値のＡＣ信号だけが、ＤＣ信号を含む２倍のＡＣ周波数になり、ローパス・フィルタ回路を通過することで完全なＤＣ信号になり、送信電極７７・受信電極７９に流れるＡＣ電流をＤＣ電圧に変換する。
【００１８】
そのＤＣ電圧は、Ａ／Ｄ変換され演算処理され送信電流実効値１０６、送信電流位相差１０７、受信電流実効値１０８、受信電流位相差１０９の情報に変換され静電容量結合方式スイッチのオン・オフ情報に変換される。
変換ルールは図６に示す入力装置構成図のスイッチのオン・オフ判定部１１０で、図７受信電極側でのオン・オフ判定図または図８送信電極側でのオン・オフ判定図にもとづき実施される。
図７で入力物体がない状態における受信電極側の電流値を１とし受信電流実効値比率１０割以上１２５で１．０とする。標準と定める入力物体が最接近点にある場合の電流値を０とし受信電流実効値比率０割以下１２２とする。０．７以上でオフとし受信電流実効値比率７割１２４とする。０．３以下でオンとし受信電流実効値比率３割１２３とする。
受信電流実効値変化カーブ１３０がスイッチのオン・オフ判定部１１０に入力されると開始時時間０では受信電流実効値比率１２１が１なのでオフと判定する。その後、スイッチオフ状態１  １２６から受信電流実効比率３割１２３以下になる。スイッチオフ状態１  １２６からオン状態１２７へのオフ状態１からオン状態への変化点１３１を通過しスイッチオン状態１２７なのでオンと判定する。その後、スイッチオン状態１２７から受信電流実効比率７割１２４以上になる。オン状態からオフ状態２への変化点１３２を通過しスイッチオフ状態２  １２８になる。
図８で入力物体がない状態における送信電極側の電流値を０とし受信電流実効値比率０割以下１４２で０とする。標準と定める入力物体が最接近点にある場合の電流値を１とし送信電流実効値比率１０割以上１４５とする。０．３以下でオフとし送信電流実効値比率３割１４３とする。０．７以上でオンとし送信電流実効値比率７割１４４とする。
送信電流実効値変化カーブ１５０がスイッチのオン・オフ判定部１１０に入力されると開始時間０では送信電流実効値比率１４１が０なのでオフと判定する。その後、スイッチオフ状態１  １４６から受信電流実効比率７割１４４以上になる。スイッチオフ状態１  １４６からオン状態１４７へのオフ状態１からオン状態への変化点１５１を通過しスイッチオン状態１４７なのでオンと判定する。その後、スイッチオン状態１４７から送信電流実効比率３割１５２以下になる。オン状態からオフ状態２への変化点１５２を通過しスイッチオフ状態２  １４８になる。
不感帯として０．７から０．３の領域を設けることでリニアに変化しにくい指の動きや人の手が持つペンの動きによるオン・オフの不安定さを改善でき、ふれたときにオン状態になる領域を狭く、はなれたときにオフ状態になる領域を広くし操作が明確になる。
【実施例】
【００１９】
図１に櫛型の電極構造図を示す。図２に円型の電極構造図を示す。この二種類の電極に図６の入力装置構成図に示す送信電極７７および受信電極７９に図１及び図２に示すＡおよびＢを接続した場合に入力物体のあるなしおよびその位置による電気力線の変化をシミュレーション図で示す。
図３で示すパネル４７は、厚さ１ｍｍのガラスで誘電率は８です。電極４２から電極４６は基板にエッチング処理された銅電極である。銅電極は、幅１ｍｍ間隔１ｍｍである。入力物体４１は、ステンレス製の直径１０ｍｍ長さ１００ｍｍの棒で先端部には導電ゴムを接着して指に似た特性をもたせている。
図１の櫛型の電極構成では、ＡおよびＢ側の電極も幅１ｍｍの導体でパターンが構成されており、間隔も同様に１ｍｍである。ただし電極パターンと電流電圧変換の抵抗に接続される導体のパターンは、電極パターンよりも十分細いパターンとする。電極パターンを上面より縦方向に切断し断面を側方から見ると１ｍｍ間隔で１ｍｍの電極パターンが５つあるようになる。またＢ側のパターンはＡ側のパターンで囲まれている。
【００２０】
図２の円型の電極構成でも、同様にＡおよびＢ側の電極も幅１ｍｍの導体でパターンが構成されており、間隔も同様に１ｍｍである。ただし電極パターンと電流電圧変換の抵抗に接続される導体のパターンは、電極パターンよりも十分細いパターンとする。電極パターンを上面より縦方向に切断し断面を側方から見ると１ｍｍ間隔で１ｍｍの電極パターンが５つあるようになる。またＢ側のパターンはＡ側のパターンで囲まれている。
【００２１】
図３の入力物体４１とパネル４７と櫛型図１と円型図２電極の断面図を示す。櫛型でも円型でも断面図は同様である。幅１０ｍｍの入力物体４１が厚さ１ｍｍのガラスの上面に置かれ電極パターンはパネルの下面に置かれている。
【００２２】
図１３の櫛型と円型の入力物体なしの最外周が送信電極の電気力線図を示す。図６に示す送信電極に図１と図２に示すＡを接続し、受信電極に図１と図２に示すＢを接続しシミュレーションしたものである。シミュレーションでは電気力線と全体のキャパシタンス容量が計算される。シミュレーションの結果は、図１３の電気力線２０１の両端と上部方向のふくらみと図９の電気力線１６１の両端と上部方向のふくらみを比較すると大幅に小さくなっており、特に中心部分の電気力線の高さは電極間隔が狭いことで低く、さらに最外周にある送信電極により遮断されることで外部の影響を受けにくい。逆に最外周の送信電極は遮断するものがないため周辺にある他のスイッチ用電極に電界を供給したり周辺にあるいろいろな物体に電界を供給してしまうため基準が決め難く、この電極構造ではスイッチのオン・オフ判定に送信電流実効値１０６は実際には使用しにくいので受信電流実効値１０８の変化を使用する。
【００２３】
図１４の櫛型と円型の中心に入力物体ありの最外周が送信電極の電気力線図に示すように、複数の送信電極と複数の受信電極の間の上部電気力線の大半が入力物体２１８に遮断吸収される。入力物体２１８から空気中に放電されたり人体やグランドに流れることで電気力線が吸収され受信電極側に電気力線が接続されるのを阻害する。そのため複数の送信電極と入力物体２１８の間は多くの電気力線で結ばれる。さらに全体のキャパシタンス容量はシミュレーションでは２．６倍に増加する。図１３に比べて複数の受信電極側の電気力線は大幅に減少しそれにともない受信電流実効値１０８が大幅に減少し３割以下になる。よって入力物体２１８がパネルスイッチ上にあるとスイッチのオン・オフ判定部は判定しスイッチはオンとなる。
【００２４】
図１５の櫛型と円型の右端に入力物体ありの最外周が送信電極の電気力線図と図１６の櫛型と円型の左端に入力物体ありの最外周が送信電極の電気力線図は送信電極・受信電極の配置が左右対称であることから電気力線図が左右対称となる。
入力物体２２８・２３８近辺の送信電極２２６・２３２と隣の受信電極２２５・２３３の間の上部電気力線の多くが遮断される。加えて、送信電極２２６・２３２と入力物体２２８・２３８の間は距離が近く、例えば、空気や塵など遮るようなものが極わずかなので多くの電気力線で結ばれる。しかし、全体のキャパシタンス容量は入力物体２２８・２３８が増えたためシミュレーションでは１．３倍に増加する。さらにパネルから離れた空気の誘電率はパネルの１／５程度なのでシミュレーション結果よりも受信電極側の電気力線の減少は少なくなる。図６の入力装置構成図でしめした受信電流実効値１０８は図１３の受信電流実効値１０８と比べて減少する。  しかし、７割以上なので入力物体がパネルスイッチ上にないとスイッチのオン・オフ判定部は判定しスイッチはオフとする。
【００２５】
図１７に櫛型と円型の入力物体なしの最外周が受信電極の電気力線図を示す。図６に示す送信電極に図１と図２に示すＢを接続し、受信電極に図１と図２に示すＡを接続しシミュレーションしたものである。シミュレーションの結果、図17の電気力線２４１を図９の電気力線１６１とふくらみを比較すると電気力線のふくらみが大幅に小さくなっており、特に中心部分の電気力線の高さは電極間隔が狭いことで低く、さらに最外周の受信電極により遮断されることで外部の影響を受けにくい。最外周が受信電極のため図１３の最外周が送信電極に比べてもさらに小さくなる。逆に最外周の受信電極は遮断するものがないため周辺にある他のスイッチ用電極から電界を供給されたり周辺にあるいろいろな物体に電界を供給されてしまうため基準が決め難く、この電極構造ではスイッチのオン・オフ判定に受信電流実効値１０８は実際には使用しにくいので送信電流実効値１０６の変化を使用する。
【００２６】
図１８は櫛型と円型の中心に入力物体ありの最外周が受信電極の電気力線が示すように、複数の送信電極と複数の受信電極の間の上部電気力線の大半が遮断される。そのため複数の送信電極と入力物体の間は多くの電気力線で結ばれる。さらに全体のキャパシタンス容量はシミュレーションの結果では２．０倍に増加する。図１７に比べて複数の送信電極側の電気力線は大幅に増加し、それにともない送信電流実効値が大幅に増加し７割以上になる。よって入力物体がパネルスイッチ上にあるとスイッチのオン・オフ判定部は判定しスイッチはオンとなる。
【００２７】
図１９に示す櫛型と円型の右端に入力物体ありの最外周が受信電極の電気力線図と図２０は櫛型と円型の左端に入力物体ありの最外周が受信電極の電気力線は左右対称となる。
送信電極２６５・２７３と受信電極２６６・２７２の間の上部電気力線の多くが入力物体２６８・２７８に遮断される。そのうえ送信電極２６５・２７３と入力物体２６８・２７８の間は多くの電気力線で結ばれる。しかし全体のキャパシタンス容量はシミュレーションの結果では０．９倍に減少します。さらにパネルから離れた空気の誘電率はパネルの１／５程度なのでシミュレーション結果よりも受信電極側の電気力線の減少は少なくなる。図６の入力装置構成図で示した送信電流実効値１０６（図１９参照）は、図１７で示す送信電流実効値１０６と比べてわずかですが減少し、３割以下なので入力物体がパネルスイッチ上にないとスイッチのオン・オフ判定部は判定しスイッチはオフとします。
【００２８】
複数の送信電極と複数の受信電極で構成される複数の電界が狭い範囲にあり、入力物体が中心付近にある場合は、複数の電界が遮断され、新たに多くの電界が入力物体との間で構成される。入力物体が端に移動するにつれ遮断されていた複数の電界が復活し遮断されていた電界の数が減少し入力物体との間で新たに作られていた多くの電界も減少する。最端面に近づくと影響を受ける電界は最外周にある送信電極または受信電極１つだけになり、入力物体がパネルスイッチ上にないとスイッチのオン・オフ判定部は判定する。
【符号の説明】
【００２９】
１          櫛型電極Ａ外周電極接続線
２          櫛型電極外周電極上部
３          櫛型電極外周電極下部
４          櫛型電極最内周電極部
５          櫛型電極中間電極上部
６          櫛型電極中間電極下部
７          櫛型電極Ｂ中間電極接続線
８          櫛型電極外周電極上部断面部
９          櫛型電極中間電極上部断面部
１０        櫛型電極最内周電極部断面部
１１        櫛型電極中間電極下部断面部
１２        櫛型電極外周電極下部断面部
１３        櫛型電極上面部
１４        櫛形電極断面部
２１        円型電極Ａ外周電極接続線
２２        円型電極外周電極上部
２３        円型電極外周電極下部
２４        円型電極最内周電極部
２５        円型電極中間電極上部
２６        円型電極中間電極下部
２７        円型電極Ｂ中間電極接続線
２８        円型電極外周電極上部断面部
２９        円型電極中間電極上部断面部
３０        円型電極最内周電極部断面部
３１        円型電極中間電極下部断面部
３２        円型電極外周電極下部断面部
３３        円型電極上面部
３４        円型電極断面部
４１        入力物体
４２        電極外周電極上部断面部
４３        電極中間電極上部断面部
４４        電極最内周電極部断面部
４５        電極中間電極下部断面部
４６        電極外周電極下部断面部
４７        パネル
４８        櫛型と円型電極断面部
５１        並列平板型電極Ａ接続線
５２        並列平板型電極Ａ部
５３        並列平板型電極Ｂ部
５４        並列平板型電極Ｂ接続線
５５        並列平板型電極Ａ部断面部
５６        並列平板型電極Ｂ部断面部
５７        並列平板電極上面部
５８        並列平板型電極断面部
６１        入力物体
６２        並列平板型電極Ａ部断面部
６３        並列平板型電極Ｂ部断面部
６４        パネル
６５        並列平板型電極断面部
７１        発振器
７２        ｓｉｎ波形
７３        ｃｏｓ波形
７４        ｓｉｎ波形増幅回路
７５        Ｒｏｕｔ
７６        出力側電流・電圧変換回路
７７        送信電極
７８        電極間の電界
７９        受信電極
８０        電界の一部＋電界の増加分
８１        人体の放電抵抗  ７ｋｏｈｍ
８２        Ｒｉｎ
８３        入力側電流・電圧変換回路
８４        出力側ハイパス・フィルタ
８５        入力側ハイパス・フィルタ
８６        出力側増幅器
８７        入力側増幅器
８８        出力側ローパス・フィルタ
８９        入力側ローパス・フィルタ
９０        ｓｉｎ・出力側信号掛算回路
９１        ｃｏｓ・出力側信号掛算回路
９２        ｓｉｎ・入力側信号掛算回路
９３        ｃｏｓ・入力側信号掛算回路
９４        ｓｉｎ・出力信号ローパス・フィルタ回路
９５        ｃｏｓ・出力信号ローパス・フィルタ回路
９６        ｓｉｎ・入力信号ローパス・フィルタ回路
９７        ｃｏｓ・入力信号ローパス・フィルタ回路
９８        ｓｉｎ・出力信号Ａ／Ｄ変換回路
９９        ｃｏｓ・出力信号Ａ／Ｄ変換回路
１００      ｓｉｎ・入力信号Ａ／Ｄ変換回路
１０１      ｃｏｓ・入力信号Ａ／Ｄ変換回路
１０２      ｓｉｎのルート（Ｘ二乗＋Ｙ二乗）の計算処理
１０３      ｓｉｎのアークタンジェント（Ｘ／Ｙ）の計算処理
１０４      ｃｏｓのルート（Ｘ二乗＋Ｙ二乗）の計算処理
１０５      ｃｏｓのアークタンジェント（Ｘ／Ｙ）の計算処理
１０６      送信電流実効値
１０７      送信電流位相差
１０８      受信電流実効値
１０９      受信電流位相差
１１０      スイッチのオン・オフ判定部
１１１      外部処理装置
１１２      制御装置
１２１      縦軸受信電流実効値比率
１２２      受信電流実効値比率０割以下
１２３      受信電流実効値比率３割
１２４      受信電流実効値比率７割
１２５      受信電流実効値比率１０割以上
１２６      スイッチオフ状態１
１２７      スイッチオン状態
１２８      スイッチオフ状態２
１２９      横軸経過時間
１３０      受信電流実効値比率変化カーブ
１３１      オフ状態１からオン状態への変化点
１３２      オン状態からオフ状態２への変化点
１４１      縦軸送信電流実効値比率
１４２      送信電流実効値比率０割以下
１４３      送信電流実効値比率３割
１４４      送信電流実効値比率７割
１４５      送信電流実効値比率１０割以上
１４６      スイッチオフ状態１
１４７      スイッチオン状態
１４８      スイッチオフ状態２
１４９      横軸経過時間
１５０      送信電流実効値比率変化カーブ
１５１      オフ状態１からオン状態への変化点
１５２      オン状態からオフ状態２への変化点
１６１      電気力線
１６２      送信電極
１６３      受信電極
１６４      パネル
１７１      電気力線
１７２      送信電極
１７３      受信電極
１７４      パネル
１７５      入力物体
１８１      電気力線
１８２      送信電極
１８３      受信電極
１８４      パネル
１８５      入力物体
１９１      電気力線
１９２      送信電極
１９３      受信電極
１９４      パネル
１９５      入力物体
２０１      電気力線
２０２      電極外周電極上部断面部
２０３      電極中間電極上部断面部
２０４      電極最内周電極部断面部
２０５      電極中間電極下部断面部
２０６      電極外周電極下部断面部
２０７      パネル
２１１      電気力線
２１２      電極外周電極上部断面部
２１３      電極中間電極上部断面部
２１４      電極最内周電極部断面部
２１５      電極中間電極下部断面部
２１６      電極外周電極下部断面部
２１７      パネル
２１８      入力物体
２２１      電気力線
２２２      電極外周電極上部断面部
２２３      電極中間電極上部断面部
２２４      電極最内周電極部断面部
２２５      電極中間電極下部断面部
２２６      電極外周電極下部断面部
２２７      パネル
２２８      入力物体
２３１      電気力線
２３２      電極外周電極上部断面部
２３３      電極中間電極上部断面部
２３４      電極最内周電極部断面部
２３５      電極中間電極下部断面部
２３６      電極外周電極下部断面部
２３７      パネル
２３８      入力物体
２４１      電気力線
２４２      電極外周電極上部断面部
２４３      電極中間電極上部断面部
２４４      電極最内周電極部断面部
２４５      電極中間電極下部断面部
２４６      電極外周電極下部断面部
２４７      パネル
２５１      電気力線
２５２      電極外周電極上部断面部
２５３      電極中間電極上部断面部
２５４      電極最内周電極部断面部
２５５      電極中間電極下部断面部
２５６      電極外周電極下部断面部
２５７      パネル
２５８      入力物体
２６１      電気力線
２６２      電極外周電極上部断面部
２６３      電極中間電極上部断面部
２６４      電極最内周電極部断面部
２６５      電極中間電極下部断面部
２６６      電極外周電極下部断面部
２６７      パネル
２６８      入力物体
２７１      電気力線
２７２      電極外周電極上部断面部
２７３      電極中間電極上部断面部
２７４      電極最内周電極部断面部
２７５      電極中間電極下部断面部
２７６      電極外周電極下部断面部
２７７      パネル
２７８      入力物体
【図１】
2017161248.tif 000003
【図２】
2017161248.tif 000004
【図３】
2017161248.tif 000005
【図４】
2017161248.tif 000006
【図５】
2017161248.tif 000007
【図６】
2017161248.tif 000008
【図７】
2017161248.tif 000009
【図８】
2017161248.tif 000010
【図９】
2017161248.tif 000011
【図１０】
2017161248.tif 000012
【図１１】
2017161248.tif 000013
【図１２】
2017161248.tif 000014
【図１３】
2017161248.tif 000015
【図１４】
2017161248.tif 000016
【図１５】
2017161248.tif 000017
【図１６】
2017161248.tif 000018
【図１７】
2017161248.tif 000019
【図１８】
2017161248.tif 000020
【図１９】
2017161248.tif 000021
【図２０】
2017161248.tif 000022